(57)【特許請求の範囲】
【請求項１】
オーディオビジュアル機器を操作するための制御情報を入力する入力装置において、
画面に情報を表示させるための表示制御手段と、
前記制御情報を入力する第１の入力手段と、
前記第１の入力手段とは別の入力手順で前記制御情報を入力する第２の入力手段とを備え、
前記第２の入力手段は、前記第２の入力手段による前記制御情報の入力手順を案内する操作案内を画面に表示させるための操作を行う操作案内キーを有し、
前記操作案内キーを操作したときに、前記表示制御手段は画面に前記操作案内を表示させ、前記第２の入力手段による前記制御情報の入力完了時に、前記表示制御手段により、前記第１の入力手段による前記制御情報の入力手順を示すようにした
ことを特徴とする入力装置。
【請求項２】
オーディオビジュアル機器を操作するための制御情報を入力する入力装置において、
スピーカ装置から音声情報を出力させるための音声出力制御手段と、
前記制御情報を入力する第１の入力手段と、
前記第１の入力手段とは別の入力手順で前記制御情報を入力する第２の入力手段とを備え、
前記第２の入力手段は、前記第２の入力手段による前記制御情報の入力手順を案内する操作案内を音声出力させるための操作を行う操作案内キーを有し、
前記操作案内キーを操作したときに、前記音声出力制御手段は前記操作案内を音声出力させ、前記第２の入力手段による前記制御情報の入力完了時に、前記音声出力制御手段により、前記第１の入力手段による前記制御情報の入力手順を示すようにした
ことを特徴とする入力装置。
【請求項３】
オーディオビジュアル機器を操作するための制御情報を入力する入力装置において、
画面に情報を表示させるための表示制御手段と、
スピーカ装置から音声情報を出力させるための音声出力制御手段と、
前記制御情報を入力する第１の入力手段と、
前記第１の入力手段とは別の入力手順で前記制御情報を入力する第２の入力手段とを備え、
前記第２の入力手段は、前記第２の入力手段による前記制御情報の入力手順を案内する操作案内を画面に表示させ且つ音声出力させるための操作を行う操作案内キーを有し、
前記操作案内キーを操作したときに、前記表示制御手段は画面に前記操作案内を表示させ且つ前記音声出力制御手段は前記操作案内を音声出力させ、前記第２の入力手段による前記制御情報の入力完了時に、前記表示制御手段又は前記音声出力制御手段により、前記第１の入力手段による前記制御情報の入力手順を示すようにした
ことを特徴とする入力装置。
【請求項４】
前記オーディオビジュアル機器が、画像記録再生装置であり、
前記制御情報が、前記画像記録再生装置を録画設定するための制御情報である
ことを特徴とする請求項１乃至請求項３のいずれかに記載の入力装置。
【請求項５】
前記オーディオビジュアル機器が、画像記録再生装置であり、
前記第１、第２の入力手段が、いずれもキー入力装置である
ことを特徴とする請求項１乃至請求項４のいずれかに記載の入力装置。
【請求項６】
前記制御情報が、前記画像記録再生装置を所定の時間後に録画設定するための予約録画の制御情報であることを特徴とする請求項４又は請求項５のいずれかに記載の入力装置。
【請求項７】
前記第２の入力手段を選択して、前記画像記録再生装置に録画設定するための制御情報を入力する場合には、最初のキー入力操作によって録画動作が開始されることを特徴とする請求項５に記載の入力装置。
【請求項８】
前記第２の入力手段を選択して、前記画像記録再生装置に録画設定するための制御情報を入力する場合には、チャンネル番号のキー入力操作によって録画動作が開始されることを特徴とする請求項５に記載の入力装置。
【発明の詳細な説明】
【０００１】
【発明の属する技術分野】
この発明は、テレビジョン、ＶＴＲ等のオーディオビジュアル機器を操作するための制御情報、特に録画制御情報を入力するための方法及びそのための入力装置に関する。
【０００２】
【従来の技術】
図１４は、従来の磁気記録再生装置（ＶＴＲ）に装備されている入力装置を示すブロック図、図１５は、このＶＴＲが備えているOne-Touch-Recording（以下、略してＯＴＲという）機能によって録画するためのキー入力手順を示すフローチャートである。
【０００３】
図１４において、ＲＥＣキー（録画キー）１は入力回路３と接続されている。また、入力回路３は制御回路４を介して表示回路５及び録画回路６と接続されている。制御回路４はタイマ回路４ａを備えている。
【０００４】
ここでＯＴＲ機能とは、ＲＥＣキー１を１回押すだけの操作によって、通常録画モード（録画終了時間を設定せずに録画を開始するモード）に入り、しかも更にＲＥＣキー１を押す回数に応じて録画終了までの時間がセットされ、その時間だけ録画を行った後、自動的に電源を切る機能をいう。
【０００５】
つぎに、図１５によって通常録画モード又はＯＴＲ機能による録画のモードにおけるキー操作の手順について説明する。まず、ストップモードが設定された状態（ステップＳ０）で、ユーザーがＲＥＣキー１を押すことにより、録画コマンドが入力回路３を介して制御回路４に入力され、この制御回路４から録画回路６を制御することにより録画が開始される（ステップＳ１）。この時、制御回路４により表示回路５を制御して、図１６に示すように、画面上に「ＲＥＣ」（録画中）の表示を行なう。その後に、ユーザーがＲＥＣキー１を押さなかった場合には、ステップＳ３に進み、録画回路６でテープ終了まで録画を続けてから、テープは始端まで巻戻される。
【０００６】
ここでユーザーは、ＯＴＲ機能による録画を行なう場合、即ち録画時間を設定したい場合には、先にＲＥＣキー１を押した後に、更に１回以上ＲＥＣキー１を押す（ステップＳ２）。そこでステップＳ４に進み、録画開始後のＲＥＣキー１の操作回数に応じた指令信号が入力回路３を介して制御回路４に入る。制御回路４では、この指令信号を録画開始より終了までの総録画時間の設定情報であると認識する。そこで、制御回路４内のタイマ回路４ａには、例えば１５分刻みで録画時間が設定されるとともに、表示回路５では、例えば図１７に示す録画時間（ここでは、「０：３０」）を表示する画面が設定される（ステップＳ５１〜５ｎ）。録画時間はタイマ回路４ａにより計時され、録画回路６では設定された録画時間まで録画を続けた後（ステップＳ６）、ＶＴＲの電源をオフする（ステップＳ７）。
【０００７】
【発明が解決しようとする課題】
このように、テレビジョン、ＶＴＲ等のオーディオビジュアル機器では、上述のＯＴＲ等、各種の機能を指令するための制御情報が、しばしばキー操作のみによって入力されるように構成されている。また、一般にオーディオビジュアル機器ではキーの数を少なくして、かつ操作性を高めるように設計されていることもあって、各種機能の設定のためのキー操作に不慣れなユーザーにとっては、それらの機能を実行させるためには、予め操作マニュアルによって入力方法を理解している必要があった。
【０００８】
すなわち従来の入力装置では、一度操作手順を理解してしまったユーザーにとっては、上述のＯＴＲ機能の様に単純明快なキー操作であっても、不慣れなユーザーにとっては複雑な操作であり、キー操作も容易でなかった。また、キー操作する上で、意図しない制御情報を入力してしまうおそれもあった。
【０００９】
この発明は、上述のような課題を解決するためになされたもので、その目的は、１つの機能に対して複数の入力手順を用意することにより、キー操作に慣れたユーザー、不慣れなユーザーのいずれにも便利な入力方法及び入力装置を提供することである。
【００１０】
【課題を解決するための手段】
この発明に係る入力方法は、オーディオビジュアル機器を操作するための制御情報を入力する入力方法において、案内情報を参照して前記制御情報を入力する入力手順と、前記案内情報を参照しない入力手順とのいずれかを選択し、前記オーディオビジュアル機器に前記制御情報を入力可能としたものである。
【００１１】
また、別の発明による入力方法は、前記案内情報を参照する場合には、入力手順が入力される信号に応じて変更可能に設定されているものである。
【００１２】
請求項１の入力装置は、
オーディオビジュアル機器を操作するための制御情報を入力する入力装置において、
画面に情報を表示させるための表示制御手段と、前記制御情報を入力する第１の入力手段と、前記第１の入力手段とは別の入力手順で前記制御情報を入力する第２の入力手段とを備え、前記第２の入力手段は、前記第２の入力手段による前記制御情報の入力手順を案内する操作案内を画面に表示させるための操作を行う操作案内キーを有し、前記操作案内キーを操作したときに、前記表示制御手段は画面に前記操作案内を表示させ、前記第２の入力手段による前記制御情報の入力完了時に、前記表示制御手段により、前記第１の入力手段による前記制御情報の入力手順を示すようにしたことを特徴とする。
【００１３】
また、請求項２の入力装置は、
オーディオビジュアル機器を操作するための制御情報を入力する入力装置において、
スピーカ装置から音声情報を出力させるための音声出力制御手段と、前記制御情報を入力する第１の入力手段と、前記第１の入力手段とは別の入力手順で前記制御情報を入力する第２の入力手段とを備え、前記第２の入力手段は、前記第２の入力手段による前記制御情報の入力手順を案内する操作案内を音声出力させるための操作を行う操作案内キーを有し、前記操作案内キーを操作したときに、前記音声出力制御手段は前記操作案内を音声出力させ、前記第２の入力手段による前記制御情報の入力完了時に、前記音声出力制御手段により、前記第１の入力手段による前記制御情報の入力手順を示すようにしたことを特徴とする。
【００１４】
また、請求項３の入力装置は、
オーディオビジュアル機器を操作するための制御情報を入力する入力装置において、
画面に情報を表示させるための表示制御手段と、スピーカ装置から音声情報を出力させるための音声出力制御手段と、前記制御情報を入力する第１の入力手段と、前記第１の入力手段とは別の入力手順で前記制御情報を入力する第２の入力手段とを備え、前記第２の入力手段は、前記第２の入力手段による前記制御情報の入力手順を案内する操作案内を画面に表示させ且つ音声出力させるための操作を行う操作案内キーを有し、前記操作案内キーを操作したときに、前記表示制御手段は画面に前記操作案内を表示させ且つ前記音声出力制御手段は前記操作案内を音声出力させ、前記第２の入力手段による前記制御情報の入力完了時に、前記表示制御手段又は前記音声出力制御手段により、前記第１の入力手段による前記制御情報の入力手順を示すようにしたことを特徴とする。
【００１６】
また、請求項４の入力装置では、前記制御情報が、画像記録再生装置を録画設定するための制御情報である。
【００１７】
また、請求項５の入力装置では、前記第１、第２の入力手段が、いずれもキー入力装置である。
【００１８】
また、請求項６の入力装置では、前記制御情報が、前記画像記録再生装置を所定の時間後に録画設定するための予約録画の制御情報である。
【００１９】
また、請求項７の入力装置は、前記第２の入力手段を選択して、前記画像記録再生装置に録画設定するための制御情報を入力する場合には、最初のキー入力操作によって録画動作が開始されるものである。
【００２０】
また、請求項８の入力装置は、前記第２の入力手段を選択して、前記画像記録再生装置に録画設定するための制御情報を入力する場合には、チャンネル番号のキー入力操作によって録画動作が開始されるものである。
【００２１】
【発明の実施の形態】
以下、添付した図面を参照して、この発明の実施の形態を説明する。
【００２２】
実施の形態１．
実施の形態１の入力装置は、テレビジョン受像機と接続された磁気記録再生装置（ＶＴＲ）に適用したものである。
【００２３】
図１は、磁気記録再生装置の入力装置部分を示すブロック図、図２は、入力手段の一例としてのリモートコントローラを示す正面図である。また、図３は、磁気記録再生装置への録画設定指令の入力手順を示すフローチャート、図４、図５、図６、図７は、操作案内等を画面表示したメニュー画面を示す図である。
【００２４】
図１において、ＲＥＣキー（録画キー）１とリモートコントローラ受光部２Ａが、それぞれ入力回路３に接続されている。また、入力回路３は制御回路４を介して表示回路５及び録画回路６と接続されている。リモートコントローラ受光部２Ａは、図２に示すリモートコントローラ２Ｂから赤外線の光信号を受けて、入力回路３に録画指令信号を出力するものである。なお、制御回路４はタイマ回路４ａを備えている。
【００２５】
図２において、リモートコントローラ２Ｂには、ユーザーにとって分かり易い、ほぼ中央部に円形の操作案内キー７が配置されていて、このキー７の上部に「操作案内」なる文字７ａが表示されている。リモートコントローラ２Ｂの正面下部には「０」〜「９」のテンキー８が配置され、また操作案内キー７とテンキー８との間には選択キー（ＪＯＧキー）９、メニューキー１０及びビデオプラスキー（ＶＩＤＥＯ  ＰＬＵＳキー）１１が配置されている。
【００２６】
次に、上述した入力装置によるＶＴＲでの録画設定手順について説明する。
【００２７】
ここでは、一例としてユーザーが今から３０分間だけ現在視聴中のＴＶ番組の録画を行なう場合を説明する。図３において、このための操作手順を理解しているユーザーであれば（ステップＳ１０）、ＲＥＣキー１を１回押すこと（ステップＳ１１）によって録画モードに入り、更にＲＥＣキー１を２回押すこと（ステップＳ１２）によって録画時間が３０分間に設定される。これらステップＳ１１、１２の操作は、従来のＯＴＲ機能による録画であって、録画設定操作に慣れたユーザーであれば単純明快なキー操作である。
【００２８】
また、録画設定操作に不慣れなユーザーであれば、リモートコントローラ２Ｂに表示された「操作案内」という文字７ａに導かれて、このリモートコントローラ２Ｂ上に配置されている操作案内キー７を押す（ステップＳ１３）。操作案内キー７が押されると、リモートコントローラ２Ｂからリモートコントローラ受光部２Ａにコマンドが転送され、このコマンドが入力回路３を通して制御回路４に操作案内指令として入力される。制御回路４では表示回路５を制御して、図４に示すメインメニュー画面（「操作案内」画面）を、例えばＶＴＲと接続されているテレビジョン画面に表示する。
【００２９】
図４に示す「操作案内」画面には、３つの案内項目が表示されている。第１項目には、テープを自動で巻戻した後に再生する（AUTOMATIC REWIND AND PLAY THE TAPE）機能、第２項目には、すぐに録画をする（MAKE A RECORDING NOW）機能、第３項目には、予約録画をする（MAKE A RECORDING LATER）機能が示されている。ユーザーはこの画面の案内を参照して、リモートコントローラ２Ｂのテンキー８でいずれかの項目を特定し、いずれかの機能を選択することができる。ここで、第２項目の「MAKE A RECORDING NOW」と言う機能は、以下に説明するように、従来の磁気記録再生装置に装備されているＯＴＲ機能と同等の録画設定機能である。
【００３０】
この様なメインメニュー画面が、表示回路５からテレビジョン受像機のスクリーンに表示されることによって、ユーザーはその案内に導かれて第２項目の「MAKE A RECORDING NOW」を選択できる（ステップＳ１４）。この項目選択は、リモートコントローラ２Ｂ上でテンキー８のキー「２」を押すことにより、実行される。この項目選択コマンドは、リモートコントローラ２Ｂからリモートコントローラ受光部２Ａに転送され、このコマンドが入力回路３を通して制御回路４に項目選択情報として入力される。制御回路４は、表示回路５を制御して、その画面表示を図５に示す録画チャンネルの設定用のメニュー画面（「チャンネル番号設定」画面）に変える。この「チャンネル番号設定」画面では、ユーザーに希望する録画チャンネルを尋ねる（WHICH CHANNEL DO YOU WANT TO RECORD?）。ユーザーは、ＪＯＧキー９を操作して録画したいチャンネル番号を設定することができる（ステップＳ１５）。
【００３１】
この「チャンネル番号設定」画面でユーザーがＪＯＧキー９を操作しないでいると、制御回路４ではタイマ回路４ａの計時動作に基づいて、この画面に切り替わってから一定時間、例えば８秒が経過した後に、無入力と判断されて、現在受信しているチャンネルを自動的に設定して、図６に示す録画時間を設定するためのメニュー画面（「録画時間設定」画面）に切り替えられる。この８秒の間に、ＪＯＧキー９によりチャンネル番号の入力があった場合には、タイマ回路４ａの制御により４秒後に、次の「録画時間設定」画面に切り替わる。
【００３２】
このように、ユーザーがチャンネル番号を選択した場合には、自動選択の場合より短時間で次のステップに進むことができる。ここで、８秒間の待ち時間は、無入力時にユーザーが操作案内を読んで理解するには十分な時間として、また、４秒間の待ち時間は、入力があった後にユーザーがチャンネル番号等を内容確認することを考慮して、それぞれ決められている。
【００３３】
図６の「録画時間設定」画面では、前メニュー画面で選択された録画チャンネル（ここでは、第１チャンネル）が表示されるとともに、録画時間の設定を行なうためのキー操作が指示されている。ここでは、録画時間もチャンネル番号と同様に、リモートコントローラ２ＢのＪＯＧキー９を操作して設定される。すなわち、リモートコントローラ２Ｂからリモートコントローラ受光部２Ａ及び入力回路３を介して制御回路４に選択コマンドが送られると、制御回路４内のタイマ回路４ｂに録画希望時間が設定される。録画希望時間は、例えばＪＯＧキー９を１回押す毎に「０：１５」→「０：３０」→…という様に１５分ずつ増え、１５分刻みで４時間までの１６通りに、テープエンドまでの１通りを加えた、合計１７通りに設定可能である（ステップＳ１６）。ここでは３０分の録画時間の設定が完了したとき、ユーザーがＲＥＣキー１を押す（ステップＳ１７）と、図７に示す「録画設定確認」画面で録画時間がオンスクリーン表示されるとともに、録画回路６に録画動作が指令される（ステップＳ１８）。なお、この「録画設定確認」画面は、図１７の画面表示と同じ内容であって、録画動作の指令後、数秒で消えるものである。
【００３４】
こうして設定された３０分間の録画時間だけ録画が行われると、制御回路４がタイマ回路４ａの計時終了を確認して、録画回路６の電源をＰＯＷＥＲ ＯＦＦ状態とする（ステップＳ１９）。
【００３５】
以上説明した入力装置によれば、最初のメニュー画面から「MAKE A RECORDING NOW」機能を選択することによって、従来から磁気記録再生装置が備えているＯＴＲ機能と同等の制御情報を録画回路６に入力することができる。したがって、従来の技術として既に説明した通り、磁気記録再生装置のＯＴＲ機能による録画設定に慣れているユーザーは、３０分だけＴＶ番組を録画するためにＲＥＣキー１を３回押して対処できる。また、操作に不慣れなユーザーは、取り扱い説明書を読まなくても、「操作案内」画面（図４）、「チャンネル番号設定」画面（図５）、「録画時間設定」画面（図６）に表示された操作案内に従って「録画設定確認」画面（図７）に到達して、希望するチャンネルの番組を希望する時間だけ録画できる。また、ＯＴＲ機能と同様にキー（ＪＯＧキー９）の操作回数により、録画時間を設定することとしているので、このようなキー操作を繰り返すことで、従来のＯＴＲ機能のキー操作を理解して、ＯＴＲ機能を使いこなすことが出来るようになる。
【００３６】
以上では、テレビジョン受像機と接続したＶＴＲの入力装置として説明したが、本発明はＶＴＲ一体型のテレビジョン受像機にも同様に適用できる。
【００３７】
実施の形態２．
実施の形態２では、本発明の入力装置を磁気記録再生装置（ＶＴＲ）に適用したものを説明する。図８は、この磁気記録再生装置の入力装置部分を示すブロック図である。
【００３８】
図８において、ＲＥＣキー（録画キー）１とリモートコントローラ受光部２Ａは入力回路３と接続されている。また、入力回路３は制御回路４を介して音声出力回路１２及び録画回路６と接続されている。リモートコントローラ受光部２Ａは、実施の形態１で説明したリモートコントローラ２Ｂ（図２）から赤外線の光信号を受けて、入力回路３に録画指令信号を出力するものである。なお、制御回路４はタイマ回路４ａを備えている。
【００３９】
次に、上述した入力装置によるＶＴＲでの録画設定手順について、図３を参照しながら説明する。
【００４０】
実施の形態１と同様にユーザーが今から３０分間だけ現在視聴中のＴＶ番組の録画を行なう場合、図３において、このための操作手順を理解しているユーザーであれば（ステップＳ１０）、ＲＥＣキー１を３回押すこと（ステップＳ１１）によって、録画時間を３０分に設定することができる（ステップＳ１８）。また、録画設定操作に不慣れなユーザーであれば、リモートコントローラ２Ｂに表示された「操作案内」という文字７ａに導かれて、このリモートコントローラ２Ｂ上に配置されている操作案内キー７を押す（ステップＳ１３）。操作案内キー７が押されると、リモートコントローラ２Ｂからリモートコントローラ受光部２Ａにコマンドが転送され、このコマンドが入力回路３を通して制御回路４に操作案内指令として入力される。
【００４１】
この実施の形態２の入力装置は、図３のステップＳ１４以降の手順で実施の形態１とは異なる動作を行なう。すなわち、制御回路４では音声出力回路１２を制御して、例えば「メインメニューの説明です。まずソフトテープを見たい場合には、リモートコントローラの数字キーの“１”を押してください。次に、今から録画を始める場合には、数字キーの“２”を押してください。あるいは、留守番録画をする場合には、数字キーの“３”を押してください。」といった音声案内を出力させる。
【００４２】
この様な音声案内によるメインメニューが、音声出力回路１２から図示しないスピーカ装置を通して出力されることによって、その案内に導かれて、リモートコントローラ２Ｂ上のテンキー８のキー「２」をユーザーが押す。これにより項目選択情報が入力回路３を通して制御回路４に入力され、制御回路４では音声出力回路１２を制御して、次の音声案内、例えば「次に録画チャンネルの設定です。リモートコントローラのＪＯＧキーによりチャンネルを設定してください。」といった音声案内を出力し、ユーザーに希望する録画チャンネルを尋ねる。ユーザーは、ＪＯＧキー９を操作して録画したいチャンネル番号を設定することができる（ステップＳ１５）。
【００４３】
この時、ユーザーが何のキー操作もしなければ、上記録画チャンネルを尋ねる音声案内に切り替わってからある一定時間後に、ＶＴＲで現在受信しているチャンネルが自動的に選択され、次の音声案内に移る。この場合、実施の形態１で説明したように、ユーザーがチャンネル番号を選択すれば、自動選択の場合より短時間で次のステップに進むことができる。
【００４４】
チャンネル番号の選択から一定時間の後に、制御回路４は音声出力回路１２を制御して、次の音声案内、例えば「第１チャンネルを録画します。次に録画時間の設定です。リモートコントローラのＪＯＧキーにより録画時間を設定してください。」といった音声案内が出力される。ユーザーは、先の音声案内で選択されている録画チャンネル（第１チャンネル）を音声によって確認でき、同時に録画時間の設定が音声で指示される。録画希望時間は、実施の形態１の場合と同様に、リモートコントローラのＪＯＧキー９で設定できる（ステップＳ１６）。
【００４５】
３０分の録画時間の設定が完了したとき、ユーザーがＲＥＣキー１を押す（ステップＳ１７）と、「録画時間は３０分です。」といった音声案内により、録画時間を確認でき、その時点で録画回路６に録画動作が指令される（ステップＳ１８）。
【００４６】
こうして設定された３０分間の録画時間だけ録画が行われると、制御回路４がタイマ回路４ａの計時終了を確認して、録画回路６の電源をＰＯＷＥＲ ＯＦＦ状態とする（ステップＳ１９）。
【００４７】
以上説明した入力装置によれば、録画設定操作に不慣れなＶＴＲのユーザーは、取り扱い説明書を読まなくても、音声による案内情報に従ってキー入力操作を行なえるから、簡単かつ確実に希望する番組を、希望する時間だけ録画できる。
【００４８】
以上では、ＶＴＲの入力装置として説明したが、本発明はテレビジョン受像機と接続したＶＴＲや、ＶＴＲ一体型のテレビジョン受像機にも同様に適用することができる。
【００４９】
実施の形態３．
実施の形態３は、実施の形態１の表示回路５と、実施の形態２の音声出力回路１２とを共に備えた入力装置であり、テレビジョン受像機と接続された磁気記録再生装置（ＶＴＲ）に適用可能である。図９は、磁気記録再生装置の入力装置部分を示すブロック図である。
【００５０】
図９において、ＲＥＣキー（録画キー）１とリモートコントローラ受光部２Ａは、それぞれ入力回路３に接続されている。また、入力回路３は制御回路４を介して表示回路５、音声出力回路１２及び録画回路６と接続されている。リモートコントローラ受光部２Ａは、実施の形態１で説明したリモートコントローラ２Ｂから赤外線の光信号を受けて、入力回路３に録画指令信号を出力するものである。なお、制御回路４はタイマ回路４ａを備えている。
【００５１】
この入力装置による録画設定手順は、既に実施の形態１、２で説明した図３に示す手順と同じである。これらと異なるのは、案内情報を参照して制御情報を入力する場合に、図３のステップＳ１４〜１７で、メニュー画面と音声案内の両方の操作案内が出力されることである。ユーザーは目と耳とから案内情報を得ることによって、一層確実に希望する番組を、希望する時間だけ録画できる。また、キー入力操作に早期に習熟して、ＯＴＲ機能のキー操作の理解が促進される効果もある。
【００５２】
実施の形態４．
実施の形態４の入力装置は、案内情報を参照して録画設定などの制御情報を入力した場合に、制御情報の入力完了時に、ユーザーに対して別の入力手順を示すようにしたものである。ここでも、実施の形態１における、図３乃至図２に示す入力装置と同様、磁気記録再生装置へ２通りの手順で録画設定指令が入力できるものとする。
【００５３】
図１０は、リモートコントローラ２Ｂによる録画設定とは異なる入力方法の説明画面を示す図である。
【００５４】
この説明画面は、図３のフローチャートのステップＳ１７でＲＥＣキー１が操作された時に、「録画設定確認」画面（図７）に続いて表示される。この説明画面がキー操作の最後に表示されることで、ユーザーはＶＴＲ本体にあるＲＥＣキー１を複数回押すことでも、それまでのステップＳ１３乃至ステップＳ１７におけるキー操作による録画設定と同様に、録画設定が可能であることを容易に理解できる。そして、以降はユーザー自身が使い易い、いずれかの方法を選択して録画設定ができる。
【００５５】
実施の形態５．
実施の形態５の入力装置は、テレビジョン受像機と接続された磁気記録再生装置（ＶＴＲ）に、案内情報を参照して予約録画できる入力手順を含むものである。この入力装置は、磁気記録再生装置への予約録画の設定に際して、実施の形態１の入力装置と同様に、２通りの手順を選択できるものとする。
【００５６】
図１１は、磁気記録再生装置への予約録画の設定指令の入力手順を示すフローチャート、図１２、図１３は、操作案内等を画面表示したメニュー画面を示す図である。ここで、入力装置（図１）及びリモートコントローラ（図２）の構成は、実施の形態１のものと同じである。
【００５７】
以下、ユーザーがＴＶ番組の録画予約を希望する場合の入力手順について説明する。
【００５８】
ここでは、一例としてユーザーが１２日の金曜日に、７：５０から９：００までのＴＶ番組の録画予約を行なう場合を説明する。図１１において、このための操作手順を理解しているユーザーであれば（ステップＳ２０）、まずＶＩＤＥＯＰＬＵＳコードが分かっているかどうかで、ステップＳ２１からステップＳ２２またはステップＳ２３のいずれかに進む。ＶＩＤＥＯ  ＰＬＵＳコードが分かっていなければ、ステップＳ２３では録画予約キー（図示せず）を押し、ステップＳ２４に進んで、録画時間（開始時間及び終了時間）を入力する。ＶＩＤＥＯＰＬＵＳコードが分かっていれば、ステップＳ２２でＶＩＤＥＯ  ＰＬＵＳキー１１の「＋」キーを押す。次に、テンキー８でＶＩＤＥＯ  ＰＬＵＳコードを入力し（ステップＳ２５）、さらにＶＩＤＥＯ  ＰＬＵＳキー１１の「＋」キーを押す（ステップＳ２６）。次に、ステップＳ２７で録画時間の確認を行ない（ステップＳ２７）、メニューキー１０を押す（ステップＳ２８）と、ＶＴＲはＰＯＷＥＲ  ＯＦＦして、録画待機状態となる（ステップＳ２９）。
【００５９】
録画予約の設定操作に不慣れなユーザーであれば、リモートコントローラ２Ｂに表示された「操作案内」という文字７ａに導かれて、このリモートコントローラ２Ｂ上に配置されている操作案内キー７を押す（ステップＳ３０）。操作案内キー７が押されると、リモートコントローラ２Ｂからリモートコントローラ受光部２Ａにコマンドが転送され、このコマンドが入力回路３を通して制御回路４に操作案内指令として入力される。制御回路４では表示回路５を制御して、先に図４に示したメインメニュー画面（「操作案内」画面）を、例えばＶＴＲと接続されているテレビジョン画面に表示する。ユーザーはこのメインメニュー画面の案内を参照して、リモートコントローラ２Ｂのテンキー８でいずれかの項目を特定し、いずれかの機能を選択することができる。
【００６０】
ここで「ＶＩＤＥＯ ＰＬＵＳ」とは、各番組に与えられた特定の番号コードにより、録画したい番組の放送開始時間及び放送終了時間が認識されるものである。この番号コードは、ＴＶガイド誌や新聞等のＴＶ番組欄に記載されているものであって、これをＶＴＲやテレビジョン受像機に入力することにより、その番組の録画予約時間が自動的にセットされる機能を有するものである。
【００６１】
図４に示すメインメニュー画面が、表示回路５からテレビジョン受像機のスクリーンに表示されることによって、ユーザーはその案内に導かれて第３項目の「MAKE A RECORDING LATER」を選択できる（ステップＳ３１）。この項目選択は、リモートコントローラ２Ｂ上でテンキー８のキー「３」を押すことにより、実行される。この項目選択コマンドは、リモートコントローラ２Ｂからリモートコントローラ受光部２Ａに転送され、このコマンドが入力回路３を通して制御回路４に項目選択情報として入力される。制御回路４は、表示回路５を制御して、その画面表示を図１２に示す「録画予約」画面（「MAKE A RECORDING LATER」画面）に変える。この「MAKE A RECORDING LATER」画面では、ユーザーに予約を希望する番組のＶＩＤＥＯ  ＰＬＵＳコードを入力してから、ＶＩＤＥＯ  ＰＬＵＳキー１１の「＋」キーを押すように指示している。あわせて、ＶＩＤＥＯ  ＰＬＵＳコードが分かっていないユーザーに対しては、録画予約キー（TIMER-REC PROG. ）を押すように指示する。ユーザーは、この画面表示された指示に従ってリモートコントローラ２Ｂのテンキー８を操作し、録画予約したい番組のコードを入力する（ステップＳ３２）。
【００６２】
さらに、ＶＩＤＥＯ  ＰＬＵＳキー１１の「＋」キーが押される（ステップＳ３３）と、リモートコントローラ２Ｂからリモートコントローラ受光部２Ａ及び入力回路３を介して予約コマンドが送られる。この予約コマンドが図１の制御回路４に入力され、表示回路５を制御して画面表示を図１３に示す「録画時間確認」画面とする。これによって、ユーザーは録画開始時間と終了時間の確認ができる（ステップＳ３４）。この「録画時間確認」画面で録画時間の確認ができたところで、画面表示された案内に従って図２のリモートコントローラ２Ｂ上にあるメニューキー１０を押すと「録画時間確認」画面から抜け出し（ステップＳ３５）、通常画面に戻る。録画予約は、この後、ＶＴＲ本体の電源を落とすことによりセットされる（ステップＳ２９）。
【００６３】
なお、ここでは表示回路５からメニュー画面等の案内情報を表示してユーザーに入力手順を指示するものとして説明したが、実施の形態２、３の表示装置と同様に、案内音声によってユーザーに入力手順を指示するものであってもよい。
【００６４】
以上説明した入力装置によれば、最初のメニュー画面から「MAKE A RECORDING LATER」機能を選択することによって、従来から磁気記録再生装置が備えている録画予約機能と同等の制御情報を、確実に録画回路６に入力することができる。したがって、磁気記録再生装置の録画予約機能の設定に慣れているユーザーは、簡単明快なＶＩＤＥＯ ＰＬＵＳコードによる予約が可能である。また、操作に不慣れなユーザーは、取り扱い説明書を読まなくても、「操作案内」画面（図４）、「録画予約」画面（図１２）の操作案内等が画面表示されるから、ＶＩＤＥＯ ＰＬＵＳコードの入力、録画予約のセットを確認する「録画時間確認」画面（図１３）に確実に到達できる。
【００６５】
実施の形態６．
実施の形態６の入力装置は、テレビジョン受像機と接続された磁気記録再生装置（ＶＴＲ）に、案内情報を参照して録画設定する場合に、最初のキー入力操作によって録画動作が開始されるように構成したものである。この入力装置は、磁気記録再生装置への予約録画の設定に際して、実施の形態１の入力装置と同様に、２通りの手順を選択できるものとする。
【００６６】
先の実施の形態１の入力装置では、録画設定に不慣れなユーザーが３０分間だけ現在視聴中のＴＶ番組の録画を行なう場合、操作案内キー７を押し、ＪＯＧキー９によってチャンネル番号を設定し、さらに録画時間の設定完了後に、ＲＥＣキー１を押すことで、録画回路６に対して録画動作が指令されていた。
【００６７】
実施の形態６の入力装置は、操作案内キー７が押されて、メニュー画面による入力手順が選択された後、図４に示す「操作案内」画面の第２項目（「MAKE A RECORDING NOW」）を選択するために、リモートコントローラ２Ｂ上のテンキー８が押された時点で、録画回路６に対して録画動作を指令するようにしている。これにより、録画設定に不慣れなユーザーであっても、現在受信しているチャンネルを今すぐ録画したいという場合に、最初のキー入力操作によって録画動作が直ちに開始できる。
【００６８】
テンキー８が押されて録画が開始されると、表示回路５では「録画時間設定」画面（図６）を表示して、現在録画を始めたチャンネル番号を表示すると共に録画時間の設定を行う。ここで、３０分の録画時間の設定が行なわれ、ユーザーがＲＥＣキー１を押すと、図７に示す「録画設定確認」画面で録画時間が数秒間だけオンスクリーン表示される。このようにして最初にテンキー８が押されてから３０分間だけ録画が行われ、制御回路４が録画回路６の電源をＰＯＷＥＲ ＯＦＦ状態となる。
【００６９】
実施の形態７．
実施の形態７の入力装置は、テレビジョン受像機と接続された磁気記録再生装置（ＶＴＲ）に、案内情報を参照して録画設定する場合に、チャンネル番号のキー入力操作によって録画動作が開始されるように構成したものである。この入力装置は、磁気記録再生装置への予約録画の設定に際して、実施の形態１の入力装置と同様に、２通りの手順を選択できるものとする。
【００７０】
実施の形態６の入力装置では、現在受信しているチャンネルを今すぐ録画したいという観点から、最初のキー入力操作によって録画動作が開始された。実施の形態７の入力装置では、図５に示す「チャンネル番号設定」画面で、録画チャンネルがＪＯＧキー９で設定された後に、録画回路６に対して録画動作を指令している。これによって、録画設定に不慣れなユーザーは、希望するチャンネル番号を指定してからすぐに、その番組の録画が可能になる。
【００７１】
この時、ユーザーがＪＯＧキー９を一定時間操作しないでいると、無入力と判断されて、図６に示す録画時間を設定するためのメニュー画面（「録画時間設定」画面）に切り替えられ、その時点で受信しているチャンネルの録画が開始される。
【００７２】
録画回路６に録画動作が指令され、録画が開始されると、表示回路５では「録画時間設定」画面を表示して、現在録画を始めたチャンネル番号を表示すると共に録画時間の設定を行う。ここで、３０分の録画時間の設定が行なわれ、ユーザーがＲＥＣキー１を押すと、図７に示す「録画設定確認」画面で録画時間が数秒間だけオンスクリーン表示される。このようにして最初にテンキー８が押されてから３０分間だけ録画が行われ、制御回路４が録画回路６の電源をＰＯＷＥＲ ＯＦＦ状態となる。
【００７３】
以上の実施の形態６、７では、メニュー画面に案内情報を表示してユーザーに入力手順を指示するものとして説明したが、実施の形態２、３の表示装置と同様に案内音声によってユーザーに入力手順を指示するものであってもよい。
【００７４】
また、以上の本発明の入力装置については、録画時間の設定に限って説明したが、いわゆる「オフタイマー」のような、例えば再生時間終了時刻の設定や、その他、テレビジョン番組の予約観賞等にも拡張して適用できる。
【００７５】
【発明の効果】
この発明は、以上に説明したように構成されているので、以下に示すような効果を奏する。
【００７６】
本発明の入力方法によれば、オーディオビジュアル機器を操作するための制御情報が、複数の入力手順のいずれかを選択でき、かつ案内情報を参照して入力可能としたことにより、不特定多数のユーザーが、オーディオビジュアル機器の機能を簡単にミス無く使いこなせるようになる。
【００７７】
また別の発明の入力方法では、案内情報を参照する場合でも、入力手順を入力される信号に応じて変更可能に設定したので、例えばユーザーがチャンネル番号を選択したかどうかで、次のステップに進む時間を変更する等によって、目的とする制御情報の入力が円滑に行なわれる。
【００７８】
本発明の入力装置によれば、例えば予約録画（チャネル予約）機能、或いは即時録画機能については、そのためのキー操作に不慣れなユーザーに対しては、一般に懇切丁寧な入力方法で制御情報を入力するように指示することができ、キー操作に慣れてしまったユーザーに対しては単純明快な入力操作を可能とするという、それぞれ異なるユーザーの立場に沿った入力装置が提供できる。
【図面の簡単な説明】
【図１】  本発明の実施の形態１である磁気記録再生装置の入力装置部分を示すブロック図である。
【図２】  入力手段の一例としてのリモートコントローラを示す正面図である。
【図３】  磁気記録再生装置への録画設定指令の入力手順を示すフローチャートである。
【図４】  操作案内を画面表示したメニュー画面を示す図である。
【図５】  「チャンネル番号設定」のメニュー画面を示す図である。
【図６】  「録画時間設定」のメニュー画面を示す図である。
【図７】  「録画設定確認」画面を示す図である。
【図８】  本発明の実施の形態２である磁気記録再生装置の入力装置部分を示すブロック図である。
【図９】  本発明の実施の形態３である磁気記録再生装置の入力装置部分を示すブロック図である。
【図１０】  本発明の実施の形態４におけるリモートコントローラによる録画設定とは異なる入力方法を説明する画面を示す図である。
【図１１】  本発明の実施の形態５における録画予約の設定指令の入力手順を示すフローチャートである。
【図１２】  「録画予約」のメニュー画面を示す図である。
【図１３】  「録画時間確認」画面を示す図である。
【図１４】  従来の磁気記録再生装置（ＶＴＲ）に装備されている入力装置を示すブロック図である。
【図１５】  ＯＴＲ機能によって録画するためのキー入力手順を示すフローチャートである。
【図１６】  ＲＥＣキーを押した後の表示画面を示す図である。
【図１７】  録画時間設定中の表示画面を示す図である。
【符号の説明】
１  ＲＥＣキー（録画キー）、  ２Ａ  リモートコントローラ受光部、  ２Ｂリモートコントローラ、  ３  入力回路、  ４  制御回路、  ４ａ  タイマ回路、  ５  表示回路、  ６  録画回路、  ７  操作案内キー、  ８  テンキー、９  選択キー（ＪＯＧキー）、  １０  メニューキー、  １１  ビデオプラスキー（ＶＩＤＥＯ  ＰＬＵＳキー）、  １２  音声出力回路。
【図１】
0003647153.tif 000002
【図２】
0003647153.tif 000003
【図３】
0003647153.tif 000004
【図４】
0003647153.tif 000005
【図５】
0003647153.tif 000006
【図６】
0003647153.tif 000007
【図７】
0003647153.tif 000008
【図８】
0003647153.tif 000009
【図９】
0003647153.tif 000010
【図１０】
0003647153.tif 000011
【図１１】
0003647153.tif 000012
【図１２】
0003647153.tif 000013
【図１３】
0003647153.tif 000014
【図１４】
0003647153.tif 000015
【図１５】
0003647153.tif 000016
【図１６】
0003647153.tif 000017
【図１７】
0003647153.tif 000018